(57)【要約】【課題】  箸の手元側を意図的に露出させて収納する開閉自在の樹脂製の箸収納ケースにおいて、箸のサイズにかかわらず箸の抜け落ちや携帯音の発生を確実に防止するとともに、装飾性を改善する。【解決手段】  箸収納ケース８０を構成する表半部２と裏半部３との少なくとも一方に１対の紐孔Ｈ，Ｈを設け、紐孔Ｈ，Ｈを介して飾り紐４を取り付ける。箸収納室内に差し入れた１対の箸Ｔ，Ｔを飾り紐４によって表半部２または裏半部３に引き寄せるようにして拘束する。飾り紐４は、携帯時の手提げ紐等として利用することも可能であり、視覚的な装飾効果も高められる。【選択図】  図１
2010099424.tif 000002
【特許請求の範囲】
【請求項１】
表半部と裏半部とを開閉自在に組み合わせ、閉状態において前記表半部と裏半部との間に一端を常開の開口部とする箸収納室を形成し、前記開口部を介して箸収納室内に１対の箸を箸の手元側を意図的に露出させた状態で収納する樹脂製の箸収納ケースにおいて、
前記表半部と裏半部との少なくともいずれか一方の前記開口部の近傍位置に、少なくとも１個の紐孔を形成するとともに、該紐孔を介して前記箸収納室内に飾り紐を該飾り紐の両端を前記箸収納室の外部に出した状態で挿通してなり、
該飾り紐は、前記箸収納ケースの外部から張力を加えることによって、前記箸収納室内に差し入れた１対の箸を前記開口部の近傍位置において前記飾り紐の中間部によって拘束するとともに、前記飾り紐の両端部を装飾要素とすること、を特徴とする
箸収納ケース。
【請求項２】
表半部と裏半部とを開閉自在に組み合わせ、閉状態において前記表半部と裏半部との間に一端を常開の開口部とする箸収納室を形成し、前記開口部を介して箸収納室内に１対の箸を箸の手元側を意図的に露出させた状態で収納する樹脂製の箸収納ケースにおいて、
前記表半部と裏半部とのいずれか一方を他方に対して長く形成することによって前記箸収納室の開口部から箸収納ケースの長手方向に沿って突出する突出部を形成し、該突出部に少なくとも１個の紐孔を設けるとともに、該紐孔に飾り紐を挿通してなり、
前記飾り紐は、前記箸収納室内に差し入れた１対の箸を前記開口部の近傍位置において前記突出部に引き寄せるようにして拘束すること、を特徴とする
箸収納ケース。
【請求項３】
前記表半部と裏半部とのいずれか一方または双方に、前記箸収納室内において前記表半部から裏半部側に向かって、または前記裏半部から表半部側に向かって突出する位置決めリブを突設してなり、
前記位置決めリブは、前記箸収納室内に１対の箸を差し入れる操作によって１対の箸の先端部間に割り込むように進入し、１対の箸の先端部間の間隔を１対の箸の手元側の合計幅を超える間隔に拡大すること、を特徴とする
請求項１または請求項２に記載の箸収納ケース。
【請求項４】
前記表半部と裏半部とは、双方に前記紐孔を備え、対向する側面の厚みを相欠きとしてスライド動作可能に組み合わせてなり、
組み合わされた前記表半部と裏半部とによって構成される箸収納ケースの先端部に、表半部と裏半部とのスライド動作によって掛合する掛止機構を設けるとともに、箸収納ケースの前記開口部側には、凹型部と凸型部との嵌め合いによって前記表半部と裏半部とのスライド動作を防止する位置決め機構を設け、該位置決め機構を前記箸収納室に差し入れた箸とともに前記飾り紐によって拘束可能とすること、を特徴とする
請求項１ないし請求項３のいずれか１項に記載の箸収納ケース。
【請求項５】
前記飾り紐は、両端部をまとめた状態において飾り紐の任意位置をばね力によって緊締するクリップ部品を備え、
該クリップ部品は、飾り紐に沿ってスライドさせることによって増締め操作可能であること、を特徴とする
請求項１ないし請求項４のいずれか１項に記載の箸収納ケース。
【発明の詳細な説明】
【技術分野】
【０００１】
本発明は、箸の手元側を意図的に露出させた状態において、箸の先端部側を部分的に被覆するようにした今日的デザイン形式の樹脂製の箸収納ケースの改良に関する。
【背景技術】
【０００２】
環境意識の高まりとともに、大量消費、大量廃棄の産業構造から、持続可能な産業構造への構造転換が進められ、身近な生活用品においても、使い捨てるのではなく、良いものを長く使用するという方向に消費者意識が変化している。我々が日常的に使用する食事用品である箸においても、割り箸の使用を控えるため、自前で好みの箸を携帯する人が増えてきている。
【０００３】
しかし、箸はその性質上、無包装のまま鞄等の中に入れて携帯するということができない。鞄等の中に入れて携帯するにしても、弁当箱に添えて携帯するにしても、直接に携帯するにしても、何らかの収納用具が必要とされる。
【０００４】
箸の収納用具としては、伝統的な箸箱があるが、旧来の箸箱は、箸を携帯することを主たる目的とするものではないことから、大柄であって収納すべき箸に対してデザインともども重きに過ぎ、箸を日常的に携帯することには適していない。そこで、学童等が弁当とともに携帯する箸箱のように、箸を収納する上での必要最小限のサイズの樹脂製として携帯性を高めた箸箱も提供されているが、伝統的な箸箱に対して僅かの改良でしかない。また、箸箱における箸収納室を特定の箸の外形形状に一致させて形成することには、実用上の難点を伴うため、箸収納室は、余裕を持ったサイズに設定されるのが普通であり、箸の携帯に際して箸箱内で箸が移動する不愉快な携帯音を発する。
【０００５】
上記のような実情から、今日では、箸全体を収納するのではなく、箸の先端部側のみを収納するようにした軽快でスマートな形態の箸収納ケースが提供されるようになっている。
【特許文献１】特開２００１−２９９５４９号公報
【特許文献２】特開２００４−４９５８２号公報
【特許文献３】特許第４１５３９７９号公報
【発明の開示】
【発明が解決しようとする課題】
【０００６】
箸の先端部側のみ差し込むようにして収納する形態の箸収納ケースは、外観が大げさとならずスマートであり、不愉快な携帯音も発しない。また、箸の手元側が露出しているので、特に、高品質の箸を携帯する際には、箸のデザインが箸箱のデザインと相俟って食卓の雰囲気を盛り上げてくれるという利点がある（特許文献１ないし３参照）。
【０００７】
しかし、上記形態の箸収納ケースにおいては、携帯中に箸収納ケースから箸が抜け取れてしまうという問題が避けられない。これは、主に、箸が円滑な先細りテーパに形成されていることによって惹起される問題であるが、箸のテーパを廃止する訳にはいかないことから、簡単なようで解決することが難しい問題である。すなわち、伝統的な箸箱の問題点を改善することによって別の問題点が浮上してきたと評価することができる。
【０００８】
この問題に対しては、従来、箸収納ケース全体を、揃えた１対の箸のテーパ率相当の先細りに形成するとともに、箸収納ケースの幅および長さの関係を、差し入れた箸の先端が箸収納ケースの先端に到達しない寸法関係に設定することによって、差し入れた箸が箸収納ケースによって締め付けられるようにする創意例が見られる（特許文献２参照）。
【０００９】
上記創意による箸収納ケースにおいては、特定のテーパ率であって、特定の太さの箸に対しては、非常に優れた効果を奏するものの、市場に提供されている多様なサイズの箸に適合するための汎用性に乏しいという問題がある。割り箸においては、男女用の区別や、成人用子供用の区別はないが、塗り箸においては、色柄やサイズによって区別されているのが普通であるからである。
【００１０】
さらに、箸収納ケース内部の先端部寄りに、箸ケース内部に差し込まれた１対の箸の先端部間に割り込むように作用する楔形の突起を設けた工夫例が見られる（特許文献３参照）。
【００１１】
上記工夫による箸収納ケースは、箸のサイズやテーパ率等にかかわらず、差し込まれた箸を安定に箸収納ケース内に固定することができる優れたものである。しかし、この箸収納ケースは、箸の先端部と楔形の突起とが部分的に強く擦れる構造であるため、繰返し使用によって箸先端部の塗装が剥がれてしまい、新しい箸であっても短期間に使い古した箸のような外観になってしまうという問題がある。
【００１２】
本発明は、箸の手元側を意図的に露出させた状態で箸の先端部を収納する形態の樹脂製の箸収納ケースにおいて、箸のテーパ率やサイズの違いに関係なく、箸収納ケース内に差し込まれた箸を傷付けることなく安定に固定することができるとともに、携帯性と視覚的な装飾効果をより高めることができる樹脂製の箸収納ケースを提供することを目的とする。
【課題を解決するための手段】
【００１３】
この目的を達成するための手段として本発明は、次のような構成を採用する。
【００１４】
本発明の請求項１に記載の箸収納ケースは、表半部と裏半部とを開閉自在に組み合わせ、閉状態において表半部と裏半部との間に一端を常開の開口部とする箸収納室を形成し、開口部を介して箸収納室内に１対の箸を箸の手元側を意図的に露出させた状態で収納する樹脂製の箸収納ケースにおいて、表半部と裏半部との少なくともいずれか一方の開口部の近傍位置に、少なくとも１個の紐孔を形成するとともに、この紐孔を介して箸収納室内に飾り紐をその両端を箸収納室の外部に出した状態で挿通してなり、この飾り紐は、箸収納ケースの外部から張力を加えることによって、箸収納室内に差し入れた１対の箸を開口部の近傍位置において飾り紐の中間部によって拘束するとともに、飾り紐の両端部を装飾要素とすることを特徴とする。
【００１５】
上記箸収納ケースは、表半部と裏半部とを開閉自在とした構成により、箸収納ケースの内部の洗浄を容易なものとさせるので、衛生状態を保って繰り返して使用することができる。表半部と裏半部は、開閉自在であればよく、両者を開閉自在とする構造については、ヒンジ連結によって表半部と裏半部とが連結された状態で開閉する構造であってもよく、操作上の節度感をもったはめ込み構造によって、表半部と裏半部とが合体または分離する方式のものであってもよい。
【００１６】
また、箸収納ケースは、表半部と裏半部とを閉じた閉状態において、一端側に常開の開口部とする箸収納室が形成される構成により、使用の都度表半部と裏半部とを開閉する必要はなく、開口部を介して箸収納室内に箸を差し入れ、または抜き取る単純操作によって利用することができる。なお、箸収納ケースのサイズは、例えば、子供用は子供用として、また、大人用は大人用として、それぞれ差し入れた箸の手元側が箸収納ケース外に露出するサイズであることが前提とされる。
【００１７】
箸収納ケースを構成する表半部と裏半部との少なくともいずれか一方の箸収納室内の開口部の近傍位置には、少なくとも１個の紐孔を形成されている。すなわち、紐孔は、２個以上であってもよく、また、表半部と裏半部との双方に設けることもできる。また、表半部における紐孔の個数と、裏半部における紐孔の個数が一致する必要はないという趣旨である。
【００１８】
また、箸収納ケースの箸収納室内には、上記の紐孔を介して飾り紐が挿通されている。この際、飾り紐の両端部は箸収納室の外部に引き出されている。この構成においては、例えば、紐孔が表半部と裏半部の一方に１個設けられている場合においては、飾り紐は、箸収納室内で折り返して挿入された紐孔と同じ紐孔から箸収納室から外部に抜け出しているということである。また、紐孔が複数であって、表半部と裏半部との双方に設けられている場合の飾り紐の挿通方法は多様であるが、いずれの場合においても、飾り紐の中間部が箸収納室内を通過しており、かつ、飾り紐の両端部が箸収納ケースの外部に抜け出している状態であれば上記構成を充足するということができる。
【００１９】
飾り紐の両端部が箸収納ケースの外部に抜け出している構成により、箸収納室の外部から飾り紐の両端部を引く操作が可能であり、両端部を引くことによって箸収納室内の飾り紐の中間部に緊張力を加え、箸収納室内に差し入れられた箸を飾り紐によって拘束することができる。この結果、箸収納ケースに収納された箸の脱落や携帯音の発生を阻止することができる。ただし、紐孔が１個であって表半部と裏半部との一方に設けられている場合においては、飾り紐の箸収納室内で折り返している部分の内側に箸を挿通するように箸を差し入れることが条件となる。
【００２０】
箸収納室の外部の飾り紐の両端部は、例えば、箸収納ケースに巻き付けるようにして結えてもよく、その他、利用者において好みの結え方で結えることにより飾り紐による箸の拘束状態を維持することができる。また、結わえ方にかかわらす、飾り紐の両端部は、箸収納ケースの装飾要素として機能することができる。
【００２１】
本発明の請求項２に記載の箸収納ケースは、表半部と裏半部とを開閉自在に組み合わせ、閉状態において前記表半部と裏半部との間に一端を常開の開口部とする箸収納室を形成し、前記開口部を介して箸収納室内に１対の箸を箸の手元側を意図的に露出させた状態で収納する樹脂製の箸収納ケースにおいて、表半部と裏半部とのいずれか一方を他方に対して長く形成することによって箸収納室の開口部から箸収納ケースの長手方向に沿って突出する突出部を形成し、この突出部に少なくとも１個の紐孔を設けるとともに、紐孔に飾り紐を挿通してなり、挿通した飾り紐は、箸収納室内に差し入れた１対の箸を開口部の近傍位置において突出部に引き寄せるようにして拘束することを特徴とする。
【００２２】
上記箸収納ケースは、上述した請求項１に記載の構成からなる箸収納ケースと飾り紐を取り付ける箇所が異なる点を除き、他の構成は同じである。したがって、構成が異なる点について説明する。
【００２３】
上記箸収納ケースにおいては、表半部と裏半部とが同一長さではなく、いずれか一方が長く形成され、相対的に長い部分は、表半部と裏半部とによって形成される箸収納室の開口部から突出する突出部とされている。したがって、突出部は、箸収納室の開口部の近くに位置し、箸収納室内に差し入れられた箸の手元側は、必然的に突出部の前面または裏面に沿って位置することとなる。紐孔は、この突出部に形成され、飾り紐は、この紐孔を利用して突出部に取り付けられている。つまり、飾り紐は、箸収納室内には挿通されない。紐孔の個数は少なくとも１個である。
【００２４】
紐孔が１個であっても、この紐孔に複数回にわたって飾り紐を挿通することは可能であるから、突出部に対する飾り紐の取付け方は多様である。例えば、飾り紐の中間部を２つ折りにして紐孔に挿通し、飾り紐の２つ折りにした部分の内側に箸の手元側を通して飾り紐の両端部を引き締めることによって、箸を突出部に引き付けるように拘束することができる。その他、箸を突出部に添えた状態でその周囲に飾り紐を巻き付けるような結え方等の任意の結え方が可能である。いずれの結わえ方にしても、箸収納ケースからの箸の抜け落ちや、携帯音の発生を確実に防止することができるとともに、飾り紐による華やかな装飾効果が得られる。
【００２５】
本発明の請求項３に記載の箸収納ケースは、表半部と裏半部とのいずれか一方または双方に、箸収納室内において表半部から裏半部側に向かって、または裏半部から表半部側に向かって突出する位置決めリブを突設してなり、この位置決めリブは、収納室内に１対の箸を差し入れる操作によって１対の箸の先端部間に割り込むように進入し、１対の箸の先端部間の間隔を１対の箸の手元側の合計幅を超える間隔に拡大することを特徴とする。
【００２６】
上記構成による箸収納ケースの位置決めリブは、表半部から裏半部側に向かって、または、裏半部から表半部と裏半部側に向かって突出している結果、箸収納室を上下方向に横断する態様になっている。なお、位置決めリブが表半部と裏半部との双方に設けられている場合には、表半部に設ける位置決めリブと裏半部に設ける位置決めリブとが上下方向から対向する姿勢となる。
【００２７】
上記のような位置決めリブを備える箸収納室内に揃えた状態の１対の箸を差し入れた場合、位置決めリブは１対の箸の先端部間に自然に進入する。これは、揃えられた１対の箸の先端部間には、箸が先細りテーパに形成されていることによる間隙が生じているからである。したがって、１対の箸の先端部は、テーパに従って左右に押しやられ、箸の先端部間の間隔は、位置決めリブの幅や箸収納室内における位置によって決定する所定量拡大する。なお、この際の、位置決めリブの幅および位置は、拡大した際の１対の箸の先端部間の間隔が箸の手元側の合計幅を超えるように設定されている。
【００２８】
上記の結果、１対の箸における各々の箸は先細りであるが、１対の箸を一体としてみた場合は、箸の手元側に対して、箸の先端部側が太くなっている全体形状が実現される。また上記いずれの発明の箸収納ケースにおいても、飾り紐は箸の手元側を拘束している。すなわち、飾り紐に拘束された１対の箸が抜け取れようと移動することによって、飾り紐から見た箸の太さが増大することになる。したがって、飾り紐を緩く結えるのみで箸に対する十分な拘束作用を得ることができるのである。
【００２９】
本発明の請求項４に記載の箸収納ケースは、表半部と裏半部との双方に紐孔を備え、この表半部と裏半部とは、対向する側面の厚みを相欠きとしてスライド動作可能に組み合わされる。そして、組み合わされた表半部と裏半部とによって構成される箸収納ケースの先端部に、表半部と裏半部とのスライド動作によって掛合する掛止機構を設けるとともに、箸収納ケースの開口部側には、凹型部と凸型部との嵌め合いによって表半部と裏半部とのスライド動作を禁止する位置決め機構を設け、この位置決め機構を箸収納室に差し入れた箸とともに飾り紐によって拘束可能とすることを特徴とする。
【００３０】
上記箸収納ケースにおける表半部と裏半部とは、対向する側面の厚みを相欠きとした嵌め合い構造によって一体化し、内部に箸収納室を形成することができる。なお、相欠きによる嵌め合いは、建築分野において板材の接合に多用される手法であり、簡単に嵌め合い状態を解消することができるとともに、嵌め合い状態を維持したままスライドさせることもできる。
【００３１】
そこで、上記箸収納ケースにおいては、箸収納ケースの先端部にスライド動作によって掛合する掛止機構を設け、箸収納ケースの先端部側において表半部と裏半部との浮き上がりを阻止することができる。一方、箸収納ケースの開口部側には、凹型部と凸型部との嵌め合いによって表半部と裏半部とのスライド動作を禁止する位置決め機構を設け、この位置決め機構は、表半部と裏半部との双方に設けた紐孔に挿通する飾り紐によって箸とともに拘束することができる。したがって、飾り紐に所定の緊張力を加えている限りは、長期使用における不具合の原因となりがちなヒンジ構造等を必要とすることなく表半部と裏半部との確実な一体化状態を保持することができる。外観的にもシンプルで飽きのこないデザインが実現される。
【００３２】
本発明の請求項５に記載の箸収納ケースは、飾り紐が、両端部をまとめた状態において飾り紐の任意位置をばね力によって緊締するクリップ部品を備え、このクリップ部品は、飾り紐に沿ってスライドさせることによって増締め操作可能であることを特徴とする。
【００３３】
上記構成による箸収納ケースは、クリップ部品によって飾り紐の任意位置を緊締することができるので、飾り紐を結える煩雑な操作を省略することができるとともに、クリップ部品をスライドさせて飾り紐を増締めすることによって、飾り紐に対して箸を拘束するために必要な張力を加えることができる。
【発明の効果】
【００３４】
本発明の箸収納ケースは、箸の手元側を意図的に露出させた状態で箸の先端部を収納する形態の樹脂製の箸収納ケースにおいて、開閉自在とした表半部と裏半部との少なくともいずれか一方の箸収納室の開口部の近傍位置に、少なくとも１個の紐孔を形成し、紐孔を介して取り付ける飾り紐を備えることにより、箸収納室内に差し入れた１対の箸の手元側を飾り紐によって箸収納ケースに対して自由運動不能に拘束した状態とすることができるので、箸のテーパ率やサイズの違いに関係なく、箸収納ケース内に差し込まれた箸の抜け落ち事故や不愉快な携帯音の発生を確実に防止することができるほか、飾り紐の両端部は、手提げ紐等として利用することによる携帯性の向上と、視覚的な装飾効果の向上に効果的に寄与することができる。
【発明を実施するための最良の形態】
【００３５】
以下、図面を引用しながら本発明の箸収納ケースの実施の形態を説明する。
【００３６】
箸収納ケース８０は、表半部２と、裏半部３と、飾り紐４とからなり、飾り紐４を除き樹脂材料の射出成形品である（図１，図２）。
【００３７】
表半部２と裏半部３とは、箸収納ケース８０の一方の側面に配置するヒンジ連結部２Ｄ，２Ｄによって開閉自在に連結され、他方の側面に配置するクリック掛止部２Ｃによって閉状態を保持することができる。閉状態においては、表半部２と裏半部３との間に一端を開口部Ｍとする箸収納室Ｒが形成される（図１，図３）。
【００３８】
箸収納ケース８０の表半部２と裏半部３とは、横並びの並列状態に開くことができる。なお、箸収納ケース８０のデザインによっては、ヒンジ連結部２Ｄを箸収納ケース８０の先端部側に配置し、表半部２と裏半部３とが、縦１列状態に開く構成を採用することもできる。
【００３９】
箸収納ケース８０における表半部２の開口部Ｍ側の端部は、デザイン上の観点から斜めに形成され、このため開口部Ｍは、斜めに開口する状態で形成される。また、裏半部３は、表半部２に対して長く形成され、開口部Ｍから突出した突出部３Ａを備える。突出部３Ａには、透孔３Ｈが形成され、フックに掛ける等、使用者において任意の用途に利用することができる。
【００４０】
箸収納ケース８０の表半部２の表面には、１対の台形隆起２Ａ，２Ａが形成され、台形隆起２Ａ，２Ａは、箸収納ケース８０を箸置きとして利用する際の滑り止めとして機能する。
【００４１】
なお、箸収納ケース８０における表半部２と裏半部３との区別は、構造必然的に決定されるものではなく、箸収納ケース８０に対する図柄の付与の状態であるとか、テーブル上に置いたときの自然さや、使用者の主観等によっていずれにも認識することができる。
【００４２】
飾り紐４は、袋編みの紐を平坦に押し潰した断面形状を有する水切れの良好な化繊紐である。飾り紐４には、クリップ部品５が付属している（図４）。クリップ部品５は、本体５Ｂと、本体５Ｂに対して出没自在に装填され、本体５Ｂ内に装着したばね５Ｓによって付勢されるボタン５Ａとからなる。
【００４３】
クリップ部品５の本体５Ｂには、窓が形成されるとともに、ボタン５Ａには透孔５Ｈが設けられている。ボタン５Ａを押すとボタン５Ａの透孔５Ｈと本体５の窓とが一致し、透孔５Ｈに飾り紐４を通すことができる。また、ボタン５Ａを開放すると透孔５Ｈが窓内から移動しようとして、透孔５Ｈに挿通した飾り紐４を緊締するように機能する。
【００４４】
箸収納ケース８０の表半部２の開口部Ｍに近い部分には、１対の紐孔Ｈ，Ｈが表半部２の幅方向に並べて形成され、飾り紐４は、この紐孔Ｈ，Ｈに取り付けられている（図１，図５）。なお、紐孔Ｈは、１個であってもよい。
【００４５】
表半部２に対する飾り紐４の取付け態様は、１対の紐孔Ｈ，Ｈの一方から箸収納室Ｒ内に飾り紐４を通し、箸収納室Ｒ内で折り返して他方の紐孔Ｈから外部に抜け出す取付け態様である。付属のクリップ部品５は、１対の紐孔Ｈ，Ｈから外部に出ている飾り紐４の両端部分を２本揃えてまとめた部分に取り付けられている。
【００４６】
箸収納ケース８０は、１対の箸Ｔ，Ｔを飾り紐４の折返し部分に通すようにして箸収納室Ｒ内に差し入れて利用する（図３，図５）。１対の箸Ｔ，Ｔを差し入れた後、飾り紐４の両端を引きながらクリップ部品５を押すと、クリップ部品５が飾り紐４に沿ってスライドし、相対的に箸収納室Ｒ内の飾り紐４の折返し部分を締め上げることができる。この結果、１対の箸Ｔ，Ｔは、表半部２の裏面に引き寄せられるようにして拘束される。したがって、箸Ｔ，Ｔの抜け落ちや不愉快な携帯音の発生が完全に防止されることとなる。
【００４７】
箸収納ケース８０は、飾り紐４によって１対の箸Ｔ，Ｔを拘束した状態においても開閉の自由を失わない（図５）。つまり、箸収納ケース８０を開いて飾り紐４に１対の箸Ｔ，Ｔを通して閉じる順序で使用することもできる。
【００４８】
なお、飾り紐４の長さは自由であり、適切な長さに設定することにより、携帯時のストラップとして利用することができるとともに、箸収納ケース８０に従来見られない新規の装飾効果を付与することができる（図１）。
【００４９】
飾り紐４は、箸収納ケース８０の裏半部３の突出部３Ａに取り付けることもできる（図６，図７）。１対の紐孔Ｈ，Ｈは、上記実施の形態と同様に突出部３Ａに横並びに形成され、飾り紐４は、突出部３Ａの裏面で折り返して両端が突出部３Ａの前面に来るようにして取り付けられている。
【００５０】
この形態の箸収納ケース８０においては、クリップ部品５によって１対の箸Ｔ，Ｔを直接に突出部３Ａの前面に引き寄せるようにして拘束することができる。１対の箸Ｔ，Ｔが飾り紐４によって緊締されている様子が直視されるので、箸Ｔ，Ｔの抜け落ちに対する安心感があるとともに、クリップ部品５が表半部２の表面に突出する状態とならないので、業務上多量の箸収納ケース８０を扱う場合のおさまりが良好である。
【００５１】
箸収納ケース８０は、表半部２と裏半部３の双方にそれぞれ１対の紐孔Ｈ，Ｈを設け、飾り紐４を合計４個の紐孔Ｈ，Ｈを挿通させて取り付けることもできる（図８）。
【００５２】
この場合の飾り紐４は、表半部２の１対の紐孔Ｈ，Ｈの一方から箸収納室Ｒを経由して裏半部３の一方の紐孔Ｈから裏半部３の裏面に抜け、裏半部３の裏面で折り返して、他方の紐孔Ｈから箸収納室Ｒに至り、箸収納室Ｒを経由して表半部２の他方の紐孔Ｈから表半部２の表面側に抜け出す経路で取り付けられる。
【００５３】
上記形態の箸収納ケース８０においては、飾り紐４は１本であるものの、箸収納室Ｒ内について見れば、表半部２と裏半部３間を往復した２本の飾り紐４が並列で存在することとなる。そこで、１対の箸Ｔ，Ｔの差し入れ方法としては、並列する２本の飾り紐４の間に差し入れて締め上げる方法（図８）と、並列する２本の飾り紐４の左右に１本ずつ箸Ｔを差し入れて締め上げる方法（図９）とのいずれかの方法を選択することができる。
【００５４】
この箸収納ケース８０においては、いずれの方法を選択する場合においても、１対の箸Ｔ，Ｔとともに、表半部２と裏半部３とを閉じた状態に拘束することができる。したがって、表半部２と裏半部３間に簡単な位置決め構造を採用することによって、ヒンジ連結部２Ｄおよびクリック掛止部２Ｃを省略し、低コスト化を図ることが可能である。次に、その一具体例としての実施の形態を説明する（図１０）。
【００５５】
箸収納ケース８０における表半部２と裏半部４とは、双方に紐孔Ｈ，Ｈを備える。表半部２における紐孔Ｈは１個であり、裏半部３の紐孔Ｈは２個である。裏半部３には、透孔３Ｈを形成した突出部３Ａが一体成形されている。表半部２と裏半部３とは、対応する側面２Ｓ，３Ｓの厚みを相欠きとし、相欠きとした部分を互いに嵌め込むことによってスライド動作可能に組み合わせられ、両者間に一端を開口部Ｍとする箸収納ケース８０を形成している（図１１）。
【００５６】
しかし、上記のような単なる嵌め合い構造のみでは、表半部２と裏半部３とは、簡単に分離してしまう。そこで、箸収納ケース８０の先端部には、掛止機構Ｊ１が設けられるとともに、開口部Ｍ側には、位置決め機構Ｊ２が設けられている。
【００５７】
掛止機構Ｊ１は、表半部２の先端に箸収納ケース８０の開口部Ｍ側に向けて突出する掛止爪２Ｔと、裏半部３の対応する位置に設ける爪受け穴３Ｔとからなり、表半部２と裏半部３とを組み合わせる際の僅かのスライド操作によって、ごく自然に掛止動作が完了するように工夫されている。
【００５８】
位置決め機構Ｊ２は、表半部２の側面２Ｓに形成する１対の凸型部２Ｖ，２Ｖと、裏半部３の対応する側面３Ｓに形成する１対の凹型部３Ｖ，３Ｖとからなり、これらは、表半部２と裏半部３とを組み合わせる操作によって自然に嵌り合い、表半部２と裏半部３とが相対的にスライドするのを禁止することができる。つまり、位置決め機構Ｊ２は、掛止機構Ｊ１が外れないようにロックする機能を有する。
【００５９】
飾り紐４は、裏半部３の紐孔Ｈ，Ｈから箸収納室Ｒ内を通過して表半部２の紐孔Ｈを介して外部に抜け出す経路で取り付けられ、飾り紐４にはクリップ部品５が取り付けられる（図１２）。箸収納室Ｒ内を上下方向に通過する２本の飾り紐４の間、または２本の飾り紐４の左右側に１対の箸Ｔ，Ｔを差し入れた後、クリップ部品５を移動させて飾り紐４に緊張力を加えることによって、表半部２と裏半部３とを箸Ｔ，Ｔとともに拘束することができる。
【００６０】
飾り紐４によって表半部２と裏半部３とが密着している限りは、位置決め機構Ｊ２の凹型部３Ｖ，３Ｖと凸型部２Ｖ，２Ｖとが完全に嵌合した状態を維持することができるので、掛止機構Ｊ１が外れることはない。なお、箸Ｔ，Ｔを差し入れない場合であっても、飾り紐４を締めることによって同様の作用を実現することができる。
【００６１】
上記各実施の形態における箸収納ケース８０は、いずれも先細りテーパ付きにデザインされている。これは、デザイン自体の要請もあるが、箸収納ケース８０内における箸Ｔ，Ｔの先端部の自由運動範囲をできるだけ少なくして携帯音を減少させようとする意図もある。飾り紐４によって携帯音の発生をほぼ確実に防止することができるものの、不注意によって飾り紐４の締め付けが緩い場合には、箸Ｔ，Ｔの振れを阻止することができないからである。また、業界においては、先細りテーパを有しない落ち着いたデザインの要請も根強い。
【００６２】
そこで、次にテーパを有しない箸収納ケース８０において箸Ｔ，Ｔの先端部の振れを阻止するとともに、飾り紐４による箸Ｔ，Ｔの抜け落ち防止機能を一層高めた実施の形態を説明する（図１３）。
【００６３】
箸収納ケース８０は、表半部２と裏半部３とがヒンジ連結部２Ｄ，２Ｄを介して開閉する一般的構造であり、テーパを有さない落ち着いたデザインが採用されている。表半部２の裏面の幅中央位置には、位置決めリブ２Ｆが突設されている。この位置決めリブ２Ｆは、箸収納ケース８０の先端部側から全体長さの１／３ほどの位置に形成されている。位置決めリブ２Ｆのサイズは、その左右にそれぞれ１本の箸Ｔが通過できる余裕を残すサイズであって、位置決めリブ２Ｆの左右に位置する箸Ｔ，Ｔの先端部の間隔Ｄ２が１対の箸Ｔ，Ｔの手元側の合計幅Ｄ１を超える間隔となるサイズである。紐孔Ｈは、表半部２に１個設けられる。
【００６４】
箸収納ケース８０内に差し込まれた１対の箸Ｔ，Ｔは、位置決めリブ２Ｆによってその左右に案内され、箸Ｔ，Ｔの先端部間の間隔Ｄ２が手元側の合計幅Ｄ１より拡大する。この結果、１対の箸Ｔ，Ｔを一体物と見た場合の先端部が手元側より太くなった状態が実現される。箸Ｔ，Ｔの手元側を拘束している飾り紐４は、太くなっている方向には相対移動し難いのであり、飾り紐４による締め付けが不足していても、箸Ｔ，Ｔは、容易には抜け落ちないのである。
【００６５】
なお、射出成形上の都合等により、位置決めリブ２Ｆは、裏半部３に設けてもよく、表半部２と裏半部３の双方のそれぞれ対応する位置に設けてもよい。また、位置的にも箸Ｔ，Ｔが収容される収納室Ｒの先端側で三角形の突起状に設置してもよく、その目的である箸Ｔ，Ｔの間隔を広げることによって、締め付け保持を強化させている。
【図面の簡単な説明】
【００６６】
【図１】本発明の箸収納ケースの実施の形態を示す正面図。
【図２】上記実施の形態を示す側面図。
【図３】上記実施の形態における箸収納ケースの開状態の正面図。
【図４】上記実施の形態における箸収納ケースの部品の正面図。
【図５】上記実施の形態における箸収納ケースの要部の断面図。
【図６】本発明の箸収納ケースの他の実施の形態を示す要部の正面図。
【図７】上記実施の形態を示す要部の正面図。
【図８】本発明の箸収納ケースの他の実施の形態を示す要部の断面図。
【図９】上記実施の形態における他の使用方法を示す要部の断面図。
【図１０】本発明の箸収納ケースの他の実施の形態を示す開状態の斜視図。
【図１１】上記実施の形態における箸収納ケースの一部破断側面図。
【図１２】上記実施の形態における箸収納ケースの要部の断面図。
【図１３】本発明の箸収納ケースの他の実施の形態を示す開状態の正面図。
【符号の説明】
【００６７】
Ｔ          箸
Ｒ          箸収納室
Ｍ          開口部
Ｈ          紐孔
Ｄ１        手元側の合計幅
Ｄ２        先端部間の間隔
Ｊ１        掛止機構
Ｊ２        位置決め機構
２          表半部
２Ｃ        クリック掛止部
２Ｄ        ヒンジ連結部
２Ｆ        位置決めリブ
３          裏半部
３Ａ        突出部
４          飾り紐
５          クリップ部品
８０        箸収納ケース
【図１】
2010099424.tif 000003
【図２】
2010099424.tif 000004
【図３】
2010099424.tif 000005
【図４】
2010099424.tif 000006
【図５】
2010099424.tif 000007
【図６】
2010099424.tif 000008
【図７】
2010099424.tif 000009
【図８】
2010099424.tif 000010
【図９】
2010099424.tif 000011
【図１０】
2010099424.tif 000012
【図１１】
2010099424.tif 000013
【図１２】
2010099424.tif 000014
【図１３】
2010099424.tif 000015